(57)【特許請求の範囲】
【請求項１】
測定対象の光断層情報を取得するための測定光を導光する導光手段と、
前記導光手段の先端に設けられ、前記導光手段により導光された測定光を前記測定対象に向けて出射する光出射手段と、
前記導光手段の外側を覆い、少なくとも先端側が光透過性部材で構成された第１の外套管と、
前記第１の外套管に設けられた拡縮可能な第１の拡縮手段と、
前記第１の外套管を覆うように進退自在に設けられた第２の外套管と、
前記第２の外套管に設けられた拡縮可能な第２の拡縮手段と、
を備え、
前記第２の拡縮手段の拡大時の半径が前記第１の拡縮手段の拡大時の半径と略同一であり、かつ、前記第２の拡縮手段の拡大時における前記第２の拡縮手段に対する前記第２の外套管の中心軸の径方向に関する位置と、前記第１の拡縮手段の拡大時における前記第１の拡縮手段に対する前記第１の外套管の中心軸の径方向に関する位置とが同一であり、
前記第１の外套管と前記第２の外套管とはそれぞれ前記第１の拡縮手段及び前記第２の拡縮手段の中心軸から偏芯した位置に設けられており、前記第１の外套管の側面であって、前記第１の外套管から前記第１の拡縮手段の周辺領域までの距離が最も大きい方向に前記第１の拡縮手段を駆動するため駆動用ルーメンが設けられていることを特徴とする光断層測定用プローブ。
【請求項２】
前記第２の外套管には、前記第１の拡縮手段を内部に収容する収容部が設けられたことを特徴とする請求項１に記載の光断層測定用プローブ。
【請求項３】
前記第２の外套管には、前記第２の拡縮手段よりも先端側の空間を吸引するためのルーメンであって、前記第２の拡縮手段よりも先端側に開口を有するルーメンが形成されたことを特徴とする請求項１または２に記載の光断層測定用プローブ。
【請求項４】
前記第２の外套管には、前記第２の拡縮手段よりも先端側の空間に造影剤を注入するためのルーメンであって、前記第２の拡縮手段よりも先端側に開口を有するルーメンが形成されたことを特徴とする請求項１乃至３のうちのいずれか１項に記載の光断層測定用プローブ。
【請求項５】
前記第１の外套管は前記第１の拡縮手段よりも基端側に開口する送液用のルーメンを有することを特徴とする請求項１乃至４のうちのいずれか１項に記載の光断層測定用プローブ。
【請求項６】
前記送液用のルーメンは前記第１の外套管の側面であって、前記第１の外套管から前記第１の拡縮手段の周辺領域までの距離が最も大きい方向に設けられていることを特徴とする請求項５に記載の光断層測定用プローブ。
【請求項７】
前記第２の外套管は前記第１の外套管よりも剛性が高いことを特徴とする請求項１乃至６のうちのいずれか１項に記載の光断層測定用プローブ。
【発明の詳細な説明】
【技術分野】
【０００１】
本発明は光断層測定用プローブに係り、特に光干渉断層（ＯＣＴ：Optical Coherence Tomography）計測により光断層画像を生成する光断層画像化装置に使用される光断層測定用プローブに関する。
【背景技術】
【０００２】
近年、生体組織等の測定対象を切断せずに断層画像を取得する方法として例えば低コヒーレンス光による干渉を用いた光干渉断層（ＯＣＴ：Optical Coherence Tomography）計測法を利用した光断層画像化装置の開発が進められている（例えば、特許文献１等参照）。
【０００３】
このＯＣＴ計測法によれば、光源から出射された低コヒーレンス光が光分割手段により測定光と参照光とに分割され、測定光が測定対象に照射される。そして、その測定対象からの戻り光が合波手段に導かれる。一方、参照光は、測定光の測定対象までの光路長に一致する参照光路を経由した後に合波手段に導かれる。合波手段に導かれた戻り光と参照光は、合波手段により合波されて干渉し、その干渉光が電気信号として検出されて演算処理部により測定対象の深さ方向の断層画像が生成されるようになっている。
【０００４】
このようなＯＣＴ計測法を利用した光断層画像化装置において、被検体の所望の測定部位の測定対象に測定光を照射し、測定対象からの戻り光を取り込むために光断層測定用プローブ（ＯＣＴプローブ）が使用される。
【０００５】
ＯＣＴプローブは、例えば全体が可撓性を有する長筒状のプローブ外筒（シース）で覆われており、その内部にシースの軸に沿って挿置される光ファイバと、光ファイバの先端部に配置される光学系（光出射手段）を備えている。ＯＣＴプローブの光ファイバは、光断層画像化装置の装置本体となるＯＣＴプロセッサに光学的に接続されており、ＯＣＴプロセッサから出射された測定光が、ＯＣＴプローブ内の光ファイバを伝送して光ファイバの先端からＯＣＴプローブの長手軸方向に出射された後、その測定光が光学系の偏向作用及び集光作用によってＯＣＴプローブの長手軸方向とは所定角度傾斜した方向（ＯＣＴプローブの長手軸に対して略直交方向）に集光されて照射されるようになっている（例えば、特許文献２〜５参照）。
【０００６】
また、その光ファイバの先端部の光学系は、例えば光ファイバと連結されており、光ファイバをシース内で回転させることによって測定光の照射方向を周方向に回転させるラジアル走査が行われ、これによって、ＯＣＴプローブの長手軸に略直交する断面における測定対象の断層情報の取得が行われている。また、光ファイバをシース内で直進移動させることによって測定光の照射位置をＯＣＴプローブの長手軸方向に移動させるリニア走査が行われ、これによって長手軸に沿った断面における測定対象の断層情報の取得が行われている。更に、これらのラジアル走査とリニア走査を並行して行うことによってＯＣＴプローブの長手軸周りの３次元的な領域における測定対象の断層情報（３次元ボリュームデータ）の取得が行われている。
【０００７】
また、特許文献６には、挿入補助具を利用して内視鏡挿入部を体腔内に案内する超音波内視鏡装置に関して記載されている。これによれば、挿入補助具の先端部と、内視鏡挿入部の先端部の２箇所に拡縮可能なバルーンが設置される。そして、内視鏡挿入部を挿入補助具の先端から前方に突出させた状態で２箇所のバルーンを利用しながら内視鏡挿入部及び挿入補助具が体腔内の目的部位まで挿入される。目的部位に達した後、それらの２箇所のバルーンが拡大され、体腔内に密閉空間が形成されると共に、密閉空間に水が注入されて超音波による測定が行われるようになっている。
【先行技術文献】
【特許文献】
【０００８】
【特許文献１】特開平６−１６５７８４号公報
【特許文献２】特開２０１０−４３９９４号公報
【特許文献３】特開２０１０−４６２１６号公報
【特許文献４】特開２０１０−１４６６７号公報
【特許文献５】特開２００６−９５１４３号公報
【特許文献６】特開２００５−２６１８５７号公報
【発明の概要】
【発明が解決しようとする課題】
【０００９】
ところで、胆道や膵管のように細径の管腔内にＯＣＴプローブを挿置し、管腔の内壁部の長手軸方向に沿った領域の良好な断層情報を取得するためには、管腔の内壁面に対してＯＣＴプローブを長手軸方向に平行に、かつ、安定的に固定することが望まれている。そのためには、特許文献６のようにＯＣＴプローブを２箇所に設置したバルーンによって固定することが考えられる。
【００１０】
しかしながら、特許文献６においては２箇所に設置されるバルーンの大きさについては考慮されておらず、単に２箇所に設置したバルーンによってＯＣＴプローブを管腔内に固定したとしても、管腔の内壁面に対してＯＣＴプローブが平行に固定されるとは限らない。
【００１１】
また、ＯＣＴプローブ単体では剛性が低く、特に、ＯＣＴプローブにバルーンを設置する場合には外径が太くなる。そのため、胆道や膵管等のように細径の管腔内にＯＣＴプローブを挿入する場合に、管腔内にＯＣＴプローブを押し込むための剛性が不足し、ＯＣＴプローブを管腔内に挿入することが難しくなるという問題がある。
【００１２】
本発明はこのような事情に鑑みてなされたもので、管腔の内壁面に対して確実に平行に、かつ、安定的に固定できるようにし、また、胆道や膵管等の細径の管腔内にも容易に挿入できるようにした光断層測定用プローブを提供することを目的とする。
【課題を解決するための手段】
【００１３】
前記目的を達成するために、本発明は、測定対象の光断層情報を取得するための測定光を導光する導光手段と、前記導光手段の先端に設けられ、前記導光手段により導光された測定光を前記測定対象に向けて出射する光出射手段と、前記導光手段の外側を覆い、少なくとも先端側が光透過性部材で構成された第１の外套管と、前記第１の外套管に設けられた拡縮可能な第１の拡縮手段と、前記第１の外套管を覆うように進退自在に設けられた第２の外套管と、前記第２の外套管に設けられた拡縮可能な第２の拡縮手段と、を備え、前記第２の拡縮手段の拡大時の半径が前記第１の拡縮手段の拡大時の半径と略同一であり、かつ、前記第２の拡縮手段の拡大時における前記第２の拡縮手段に対する前記第２の外套管の中心軸の径方向に関する位置と、前記第１の拡縮手段の拡大時における前記第１の拡縮手段に対する前記第１の外套管の中心軸の径方向に関する位置とが同一であり、前記第１の外套管と前記第２の外套管とはそれぞれ前記第１の拡縮手段及び前記第２の拡縮手段の中心軸から偏芯した位置に設けられており、前記第１の外套管の側面であって、前記第１の外套管から前記第１の拡縮手段の周辺領域までの距離が最も大きい方向に前記第１の拡縮手段を駆動するため駆動用ルーメンが設けられていることを特徴としている。
【００１４】
本発明によれば、光断層測定用プローブを挿入した管腔の内壁面に第１の拡縮手段と第２の拡縮手段を押し当てることによってプローブを管腔内に安定的に固定することができる。また、第１の拡縮手段と第２の拡縮手段との拡大時の半径が同一であるため、管腔の内壁面にそれらの拡縮手段を押し当てた際に、管腔を円柱状に矯正することができる。そして、第１の拡縮手段と第２の拡縮手段の各々に対する第１の外套管と第２の外套管の中心軸の径方向に関する位置を同一としたことで、プローブを挿入した管腔の内壁面（円柱状にした管腔の長手軸）に対してプローブを確実に平行に配置することができ、斜めに走査が行われることを防止することができる。また、第１の外套管を第２の外套管で覆うようにしたのでプローブの剛性が強化され、細径の管腔に対してプローブを挿入することが容易となる。
【００１５】
本発明は、前記第１の外套管と前記第２の外套管とはそれぞれ前記第１の拡縮手段及び前記第２の拡縮手段の中心軸から偏芯した位置に設けられており、前記第１の外套管の側面であって、前記第１の外套管から前記第１の拡縮手段の周辺領域までの距離が最も大きい方向に前記第１の拡縮手段を駆動するため駆動用ルーメンが設けられている態様が可能である。
【００１６】
本発明によれば、第１の外套管から第１の拡縮手段の周辺領域までの距離が大きい方向ほど、測定対象としての重要度が低いと考えられるため、その方向に第１の拡縮手段を駆動するためのルーメンを設けることによってルーメンによる測定への影響が軽減されている。
【００１７】
本発明は、前記第２の外套管には、前記第１の拡縮手段を内部に収容する収容部が設けられたことが好ましい。本発明によれば、プローブを目的の管腔内に挿入する際に、第１の拡縮手段を第２の外套管の内部に収容した状態にしておくことによって、第２の拡縮手段のみを外部に露出した状態にすることができ、管腔内へのプローブの挿入が第１の拡縮手段により阻害されることが軽減される。
【００１８】
本発明は、前記第２の外套管には、前記第２の拡縮手段よりも先端側の空間を吸引するためのルーメンであって、前記第２の拡縮手段よりも先端側に開口を有するルーメンが形成されたことが好ましい。本発明によれば、プローブを目的の管腔内に挿入し、第１の外套管の第１の拡縮手段を第２の外套管の第２の拡縮手段よりも前方に配置して第１及び第２の拡縮手段を拡大させ、第１及び第２の拡縮手段を管腔の内壁面に押圧させて測定を行う際に、第１の拡縮手段と第２の拡縮手段との間の空間を吸引することができ、それによって、管腔の内壁を第１の外套管に吸着固定した状態で測定を行うことができる。
【００１９】
本発明は、前記第２の外套管には、前記第２の拡縮手段よりも先端側の空間に造影剤を注入するためのルーメンであって、前記第２の拡縮手段よりも先端側に開口を有するルーメンが形成されたことが好ましい。本発明によれば、プローブを目的の管腔内に挿入し、第１の外套管の第１の拡縮手段を第２の外套管の第２の拡縮手段よりも前方に配置して第１及び第２の拡縮手段を拡大させ、第１及び第２の拡縮手段を管腔の内壁に押圧させて測定を行う際に、第１の拡縮手段と第２の拡縮手段との間の空間に造影剤を注入することができ、それによって、第１の拡縮手段と第２の拡縮手段との間の測定領域における管腔を強調した画像を撮影することができる。
【００２０】
本発明は、前記第１の外套管は前記第１の拡縮手段よりも基端側に開口する送液用のルーメンを有することが好ましい。本発明によれば、第１の外套管のルーメンを通じて第１の拡縮手段と第２の拡縮手段との間に所望の液体を供給することができる。
【００２１】
本発明は、前記送液用のルーメンは前記第１の外套管の側面であって、前記第１の外套管から前記第１の拡縮手段の周辺領域までの距離が最も大きい方向に設けられていることが好ましい。本発明によれば、第１の外套管から第１の拡縮手段の周辺領域までの距離が大きい方向ほど、測定対象としての重要度が低いと考えられるため、その方向に送液用のルーメンを設けるようにしたものである。
【００２２】
本発明は、前記第２の外套管は前記第１の外套管よりも剛性が高いことが好ましい。第２の外套管によってプローブの剛性をより高くすることができるため、プローブに拡縮手段を設置した場合であっても細径の管腔内にプローブを挿入し易くすることができる。
【発明の効果】
【００２３】
本発明によれば、光断層測定用プローブを管腔の内壁面に対して確実に平行に、かつ、安定的に固定することができ、また、胆道や膵管等の細径の管腔内にも容易に挿入することができる。
【図面の簡単な説明】
【００２４】
【図１】本発明に係る光プローブが使用される光断層画像化装置の一実施の形態の全体構成を示すブロック図
【図２】ＯＣＴプローブ装置の全体の外観を示した側面図
【図３】ＯＣＴプローブ装置を長手軸に沿って切断した側方断面図
【図４】プローブ挿入部を胆管内に挿入する際の説明に使用した説明図
【図５】プローブ挿入部を胆管内で挿置して測定を行う際の説明に使用した説明図
【図６】プローブ挿入部を所定の管腔内に挿入するプローブ挿入時におけるプローブ挿入部の主要構成部材の状態を示した側方断面図
【図７】管腔内に挿入したプローブ挿入部により測定を行う測定時におけるプローブ挿入部の主要構成部材の状態を示した側方断面図
【図８】プローブ挿入部の測定時の状態を示した斜視図
【図９】同図（Ａ）は測定時の状態のプローブ挿入部を第１バルーンの位置で切断した正面断面図、同図（Ｂ）は測定時の状態においてプローブ挿入部を第２バルーンの位置で切断した正面断面図
【図１０】図９と異なるプローブ挿入部の形態を示し、同図（Ａ）は測定時の状態のプローブ挿入部を第１バルーンの位置で切断した正面断面図、同図（Ｂ）は測定時の状態においてプローブ挿入部を第２バルーンの位置で切断した正面断面図
【発明を実施するための形態】
【００２５】
以下、本発明に係る光断層測定用プローブを実施するための最良の形態について説明する。
【００２６】
図１は、本発明に係る光プローブが使用される光断層画像化装置の一実施の形態の全体構成を示すブロック図である。
【００２７】
同図に示す光断層画像化装置は、光干渉断層（ＯＣＴ：Optical Coherence Tomography）計測法により測定対象Ｓの光断層画像を取得する装置であり、被検体の体腔内に挿入されて、測定部位（測定対象Ｓ）に測定光Ｌ１を照射し、測定対象Ｓからの戻り光Ｌ３（後方散乱光）を取り込むＯＣＴプローブ装置１０と、測定光Ｌ３を生成してＯＣＴプローブ装置１０に射出し、また、ＯＣＴプローブ装置１０から戻り光Ｌ３を受入して測定対象Ｓの断層情報を取得して断層画像を生成するＯＣＴプロセッサ１２と、ＯＣＴプロセッサ１２の断層画像の表示等を行うモニタ装置１４等から構成されている。
【００２８】
ＯＣＴプロセッサ１２は、主として、光源ユニット２０、光ファイバカプラ２２、２８、サーキュレータ２４、２６、干渉光検出部５０、処理部５４、制御操作部５６等を備えている。
【００２９】
光源ユニット２０は、ＯＣＴの測定のための光（例えば、波長１．３μｍのレーザ光あるいは低コヒーレンス光）を発生させるものであり、レーザ光あるいは低コヒーレンス光Ｌａを生成する光源２０ａと、光源２０ａから射出された光Ｌａを集光するレンズ２０ｂとを備えている。この光源ユニット２０から射出された光Ｌａは、光ファイバＦＢ４によって光ファイバカプラ２２に導波される。
【００３０】
光ファイバカプラ２２は、光ファイバＦＢ３、ＦＢ４、ＦＢ５に光学的に接続されており、光源ユニット２０から光ファイバカプラ２２に導波された光Ｌａは、この光ファイバカプラ２２により測定光Ｌ１と参照光Ｌ２に分割され、測定光Ｌ１は光ファイバＦＢ３に入射してサーキュレータ２４に導波され、参照光Ｌ２は光ファイバＦＢ５に入射してサーキュレータ２６に導波される。
【００３１】
サーキュレータ２４は、光ファイバＦＢ３、固定側光ファイバＦＢ２、光ファイバＦＢ３、ＦＢ１０に光学的に接続されており、光ファイバカプラ２２からサーキュレータ２４に導波された測定光Ｌ１は、固定側光ファイバＦＢ２に入射してＯＣＴプローブ装置１０の光ロータリージョイント６０に導波される。
【００３２】
光ロータリージョイント６０は、固定側光ファイバＦＢ２とＯＣＴプローブ装置１０の回転側光ファイバＦＢ１に光学的に接続されており、この光ロータリージョイント６０により固定側光ファイバＦＢ２に対して回転側光ファイバＦＢ１が回動可能に光学的に接続されている。
【００３３】
サーキュレータ２４から光ロータリージョイント６０に導波された測定光Ｌ１は、回転側光ファイバＦＢ１に入射し、光ファイバＦＢ１の先端に具備されている光出射部６２（後述の光学レンズ８２）に導波される。光出射部６２に導波された測定光Ｌ１は、光出射部６２から出射されて測定対象Ｓに照射される。なお、光出射部６２からの測定光Ｌ１の出射方向は、ＯＣＴプローブ装置１０の長手軸（回転側光ファイバＦＢ１の光軸）に対して所定角度傾斜した方向（本実施の形態では略直交する方向）となっている。
【００３４】
また、光出射部６２から測定対象Ｓに照射された測定光Ｌ１が後方散乱（反射）により測定対象Ｓから戻された戻り光Ｌ３が光出射部６２から回転側光ファイバＦＢ１に入射し、光ロータリージョイント６０に導波される。光ロータリージョイント６０に導波された戻り光Ｌ３は、固定側光ファイバＦＢ２に入射し、サーキュレータ２４に導波される。そして、光ロータリージョイント６０からサーキュレータ２４に導波された戻り光Ｌ３は、光ファイバＦＢ１０に入射し、光ファイバカプラ２８に導波される。
【００３５】
一方、光ファイバカプラ２２により分割されてサーキュレータ２６に導波された参照光Ｌ２は、光ファイバＦＢ６に入射し、光路長調整部３０に導波される。
【００３６】
光路長調整部３０は、サーキュレータ２６から導波された参照光Ｌ２の光路長を調整するもので、第１光学レンズ３２ａ、第２光学レンズ３２ｂ、反射ミラー３２ｃ、基台３４、ミラー移動機構３６を有している。
【００３７】
第１光学レンズ３２ａは、その焦点位置に光ファイバＦＢ６の端部が配置されており、光ファイバＦＢ６の端部から出射された参照光Ｌ２は第１光学レンズ３２ａにより平行光にされた後、第２光学レンズ３２ｂにより集光されて第２光学レンズ３２ｂの焦点位置に配置された反射ミラー３２ｃに入射する。反射ミラー３２ｃに入射した参照光Ｌ２は、反射ミラー３２ｃで反射して、第２光学レンズ３２ｂで平行光にされた後、第１光学レンズ３２ａにより集光されて光ファイバＦＢ６の端部から光ファイバＦＢ６に入射し、サーキュレータ２６に導波される。
【００３８】
また、第２光学レンズ３２ｂ及び反射ミラー３２ｃは、基台３４に固定されており、基台３４はミラー移動機構３６により第１光学レンズ３２ａ及び第２光学レンズ３２ｂの光軸方向（矢印Ａ方向）に移動するようになっている。これにより、第１光学レンズ３２ａと第２光学レンズ３２ｂとの間隔を変更して参照光Ｌ２の光路長を変更することができるようになっている。
【００３９】
光路長調整部３０を通過してサーキュレータ２６に戻された参照光Ｌ２は、光ファイバＦＢ７に入射し、光ファイバカプラ２８に導波される。
【００４０】
光ファイバカプラ２８は、光ファイバＦＢ７、ＦＢ８、ＦＢ９、ＦＢ１０に光学的に接続されており、サーキュレータ２６から光ファイバカプラ２８に導波された参照光Ｌ２と、サーキュレータ２４から光ファイバカプラ２８に導波された戻り光Ｌ３とが合波されて干渉光が生成される。そして、光ファイバカプラ２８で生成された干渉光は、２つの干渉光Ｌ４、Ｌ５に分割され、干渉光Ｌ４は、光ファイバＦＢ８に入射して検出器３０ａに導波され、干渉光Ｌ５は、光ファイバＦＢ９に入射して検出器３０ｂに導波される。
【００４１】
検出器３０ａ、３０ｂに導波された干渉光Ｌ４、Ｌ５は、各々、検出器３０ａ、３０ｂによりそれらの光強度に応じた電気信号に変換され、干渉光検出部５０に伝送される。
【００４２】
干渉光検出部５０は、検出器３０ａ及び検出器３０ｂから伝送された信号に基づいて、干渉光Ｌ４と干渉光Ｌ５の強度のバランスを調整し、例えばヘテロダイン検波により干渉光Ｌ４の光強度を干渉信号として検出する。そして、検出した干渉信号を処理部５４に出力する。
【００４３】
処理部５４は、干渉光検出部５０により検出された干渉信号から断層情報を取得する。詳細は省略するが、測定光Ｌ１の全光路長と戻り光Ｌ３の全光路長との合計が参照光Ｌ２の全光路長と等しいときに、参照光Ｌ２と戻り光Ｌ３との差周波数で強弱を繰り返すビート信号が干渉信号で発生する。一方、光路長調整部３０におけるミラー移動機構３６により基台３４の位置を動かし、参照光Ｌ２の光路長を変更していくことにより、測定対象Ｓの深さ方向（ＯＣＴプローブ装置１０の光出射部６２からの測定光Ｌ１の出射方向）に対する測定位置が変わってゆき、各測定位置における複数のビート信号が検出される。従って、光路長調整部３０の基台３４の位置と、干渉光検出部５０により検出された干渉信号（ビート信号）とに基づいて、測定対象Ｓの深さ方向に対する各測定位置からの戻り光Ｌ３の強度が断層情報として取得される。
【００４４】
なお、光出射部６２をＯＣＴプローブ装置１０（プローブ挿入部７０）の長手軸周りに回転させて測定光Ｌ１をラジアル走査させながら断層情報を取得することにより、長手軸に対して略直交する断面における測定対象Ｓの全周方向の断層情報を取得することができ、光出射部６２を長手軸方向に移動させて測定光Ｌ１をリニア走査させながら断層情報を取得することにより、長手軸に沿った断面における測定対象Ｓの断層情報を取得することができる。また、ラジアル走査とリニア走査を並行して（同時又は交互に）行う、例えば、スパイラル走査によって長手軸周りの３次元的な領域における測定対象Ｓの断層情報（３次元ボリュームデータ）を取得することができる。
【００４５】
処理部５４は、このようにして取得した断層情報を可視化して断層画像等を生成し、モニタ装置１４に出力表示し、又は、データとして記憶保存する。
【００４６】
制御操作部５６は、キーボード、マウス等の入力手段と、入力された情報に基づいて各種情報を管理する制御手段とを有し、処理部５４に接続されている。制御操作部５６は、入力手段から入力されたオペレータの指示に基づいて、処理部５４における各種処理条件等の入力、設定、変更等を行う。
【００４７】
なお、制御操作部５６において指示入力を行うための操作画面は、モニタ装置１４に表示させるようにしてもよいし、モニタ装置１４以外の表示部を設けてその表示部に表示させるようにしてもよい。
【００４８】
また、上記のＯＣＴプロセッサ１２は、ＯＣＴ計測法として、ＴＤ−ＯＣＴ（Time domain OCT）計測を利用したものであるが、これに限らず、ＳＳ−ＯＣＴ（Swept source OCT）計測法、又は、ＳＤ−ＯＣＴ（Spectral Domain OCT）計測法を利用したものであってもよい。
【００４９】
次に、ＯＣＴプローブ装置１０の詳細について説明する。図２は、ＯＣＴプローブ装置１０の全体の外観を示した側面図であり、図３は、ＯＣＴプローブ装置１０を長手軸に沿って切断すると共に後述の外側シースを取り外した状態を示した側方断面図である。
【００５０】
図２、図３に示すように、ＯＣＴプローブ装置１０は、体腔内に挿入されるプローブ挿入部７０と、プローブ挿入部７０の基端側に取り付けられ、ＯＣＴプロセッサ１２に固定側光ファイバＦＢ２により光学的に接続されるプローブ駆動部７２とを有している。
【００５１】
プローブ挿入部７０は、図２に示すように第１プローブ外筒（内側シース）７４と内側シース７４の外周に被嵌された第２プローブ外筒（外側シース）１５０とを備えている。
【００５２】
内側シース７４は、可撓性を有する長筒状部材であり、測定光Ｌ１及び戻り光Ｌ３が透過する材料で形成されている。内側シース７４には、図３に示すように長手軸方向に貫通する管腔（主ルーメン８４）が形成され、内側シース７４の先端には主ルーメン８４の先端開口を閉塞するキャップ７６が取り付けられている。なお、キャップ７６の外径は、内側シース７４の外径よりも細くなっている。
【００５３】
主ルーメン８４内には、固定側光ファイバＦＢ２に光ロータリージョイント６０を介して接続された回転側光ファイバＦＢ１が内側シース７４の基端側から挿入されて配置されている。
【００５４】
回転側光ファイバＦＢ１は、外周部がバネ（フレキシブルシャフト）７８により被覆されており、先端部に上記光出射部６２を構成する光学レンズ８２が固定部材８０により固定されている。
【００５５】
この回転側光ファイバＦＢ１により、固定側光ファイバＦＢ２から光ロータリージョイント６０を介して回転側光ファイバＦＢ１に入射した測定光Ｌ１が、光学レンズ８２まで導波される。一方、光学レンズ８２から取り込まれた測定対象Ｓからの戻り光Ｌ３が回転側光ファイバＦＢ１により光ロータリージョイント６０まで導波され、光ロータリージョイント６０を介して固定側光ファイバＦＢ２に入射する。
【００５６】
光学レンズ８２は、先端部が略半球状の形状で形成されており、回転側光ファイバＦＢ１の先端から出射された測定光Ｌ１を偏向すると共に集光させる。この光学レンズ８２により、回転側光ファイバＦＢ１の先端部から出射された測定光Ｌ１が、プローブ挿入部７０の長手軸（回転側光ファイバＦＢ１の光軸）に対して略直交する方向に出射されると共に集光され、内側シース７４を透過して測定対象Ｓに照射される。また、その測定光Ｌ１が照射された測定対象Ｓからの後方散乱光が戻り光Ｌ３として内側シース７４を透過して光学レンズ８２から取り込まれて集光され、回転側光ファイバＦＢ１にその先端部から入射する。なお、後述のように測定時には外側シース１５０は、基端側の位置に退避し、測定光Ｌ１や戻り光Ｌ３を遮断しない位置に設定される。
【００５７】
また、キャップ７６の外周面には拡縮可能（膨縮可能）な円環状の第１バルーン８６が取り付けられており、内側シース７４の側壁部には、第１バルーン８６の内部空間に連通する給排用ルーメン８８が長手軸方向に形成されている。給排用ルーメン８８の基端側は、バルーン制御装置２００に接続されている。これにより、バルーン制御装置２００から送出された流体（気体又は液体）が給排用ルーメン８８を介して第１バルーン８６内に注入されて第１バルーン８６が拡大（膨張）し、また、第１バルーン８６内の流体が給排用ルーメン８８を介してバルーン制御装置２００に排出されて第１バルーン８６が収縮するようになっている。
【００５８】
内側シース７４に被嵌される図２に示した外側シース１５０は、可撓性を有する長筒状部材であり、図３に示すように長手軸方向に貫通する管腔（主ルーメン１５２）が形成されている。なお、外側シース１５０はその厚み又は材料によって内側シース７４よりも剛性が高いことが望ましい。主ルーメン１５２には、内側シース７４が挿通されて内側シース７４の外周に外側シース１５０が被嵌され、内側シース７４に対して外側シース１５０が長手軸方向に移動可能な状態で具備されている。
【００５９】
また、外側シース１５０の先端側の外周面には、拡縮可能な円環状の第２バルーン１５４が取り付けられており、外側シース１５０の側壁部には、第２バルーン１５４の内部空間に連通する給排用ルーメン１５６が長手軸方向に形成されている。給排用ルーメン１５６の基端側はバルーン制御装置２００に接続されている。これにより、バルーン制御装置２００から送出された流体（気体又は液体）が給排用ルーメン１５６を介して第２バルーン１５４内に注入されて第２バルーン１５４が拡大し、また、第２バルーン１５４内の流体が給排用ルーメン１５６を介してバルーン制御装置２００に排出されて第１バルーン８６が収縮するようになっている。
【００６０】
プローブ挿入部７０の基端側に設けられる図２に示したプローブ駆動部７２は、ケース１００により全体が覆われており、図３に示すようにケース１００内に固定された固定部材１０１（又はケース１００自体）にプローブ挿入部７０の内側シース７４の基端部が固定されている。
【００６１】
プローブ駆動部７２のケース１００の内部には、上記の光ロータリージョイント６０が収容されており、光ロータリージョイント６０は、固定筒１０４と回転筒１０６とから構成されている。
【００６２】
固定筒１０４は、ケース１００に対して回動不能に支持されたフレーム１０２に固定されており、固定筒１０４の基端側には固定側光ファイバＦＢ２が取り付けられている。
【００６３】
回転筒１０６は、固定筒１０４に回動可能に支持されており、その回転筒１０６の先端側には、回転側光ファイバＦＢ１及びフレキシブルシャフト７８が取り付けられている。
【００６４】
詳細は省略するが、固定筒１０４と回転筒１０６とは、内部の中空部が連通しており、固定側光ファイバＦＢ２と回転側光ファイバＦＢ１とが、その中空部を通じて光学的に接続されている。これにより、固定筒１０４に対して回転筒１０６が回転することで、固定側光ファイバＦＢ２に対して回転側光ファイバＦＢ１が光学的に接続された状態で内側シース７４内で回転するようになっている。
【００６５】
回転筒１０６には、ギア（ギア列）１０８を介してフレーム１０２に固定されたモータ１１０の回転軸が連結されており、モータ１１０を駆動することにより回転筒１０６が回転するようになっている。これにより、モータ１１０により回転側光ファイバＦＢ１及びフレキシブルシャフト７８が回転し、これに連動して光学レンズ８２が内側シース７４内部で回転してラジアル走査が行われるようになっている。
【００６６】
また、フレーム１０２には、支持部材１１２が突設されており、支持部材１１２には、図示しないネジ孔が形成されている。ネジ孔には進退移動用ボールネジ１１４が螺合されており、進退移動用ボールネジ１１４にはケース１００に対して固定されたモータ１１６の回転軸が連結されている。
【００６７】
従って、モータ１１６を駆動させることにより、ケース１００に対してフレーム１０２が進退移動し、光ロータリージョイント６０がその光軸方向に進退移動する。そして、ケース１００に対して光ロータリージョイント６０が進退移動することにより、内側シース７４に対して回転側光ファイバＦＢ１及びフレキシブルシャフト７８が回転側光ファイバＦＢ１の光軸方向（プローブ挿入部７０の長手軸方向）に進退移動し、回転側光ファイバＦＢ１の先端に取り付けられた光学レンズ８２が内側シース７４内部で進退移動してリニア走査が行われるようになっている。
【００６８】
次に、上記のＯＣＴプローブ装置１０の作用について、胆管（総胆管）の内壁部の測定（断層情報の取得）を行う場合を例に説明する。
【００６９】
プローブ挿入部７０を胆管内に挿置して測定を行う場合、例えば、図４に示すように側視型の内視鏡の挿入部２６０を患者の口から挿入し、十二指腸のファーター乳頭が挿入部２６０の先端の側方に配置された観察窓から観察される位置まで挿入する。続いて、内視鏡の挿入部２６０内を挿通する処置具挿通チャンネルにプローブ挿入部７０を挿通させ、挿入部２６０の側方に向けて開口されている処置具導出口からプローブ挿入部７０を導出させてファーター乳頭から胆管内に挿入する。そして、胆管内の所望の測定部位までプローブ挿入部７０を挿入する。
【００７０】
このようにプローブ挿入部７０を胆管内の所望の測定部位まで挿入する際（プローブ挿入時）におけるプローブ挿入部７０の主要構成部材の状態を図６の側方断面図に示す。同図に示すように、プローブ挿入時においては、外側シース１５０の先端を内側シース７４の先端よりも前方に突出させ、内側シース７４（キャップ７６）に保持された第１バルーン８６を外側シース１５０で被覆した状態、すなわち、外側シース１５０の主ルーメン１５２内に第１バルーン８６を収容した状態にする。なお、同図のようにキャップ７６の先細りの先端部分は、外側シース１５０の先端よりも前方に突出させた状態とすることが望ましい。また、バルーン制御装置２００により第１バルーン８６を拡大させ、外側シース１５０の側壁部の内周面に第１バルーンの外周面を押圧させて内側シース７４に対して外側シース１５０を固定した状態にする。
【００７１】
これにより、第１バルーン８６と第２バルーン１５４の２つのバルーンのうち、１つのバルーンのみが外部に露出された状態となるため、２つのバルーンが外部に露出している場合と比較して、プローブ挿入部７０を細径の胆管内に挿入する操作が容易となる。また、外側シース１５０と内側シース７４（及び内側シース７４内の内容物）を一体物として測定部位まで挿入することができ、例えば、外側シース１５０を処置具挿通チャンネルに押し込むことによって、内側シース７４も外側シース１５０との位置関係を維持しながら外側シース１５０と共に胆管内に挿入されるため、プローブ挿入部７０の胆管内への挿入操作が容易となる。なお、測定終了後におけるプローブ挿入部７０の測定部位からの抜き取りもプローブ挿入時と同様の状態で行うことができる。
【００７２】
プローブ挿入部７０を図４に示したように胆管内の所望の測定部位まで挿入すると、次に、プローブ挿入部７０を図５に示す測定時の状態にして測定を行う。図７は、測定時におけるプローブ挿入部７０の主要構成部の状態を示した側方断面図である。図５、図７に示すように、測定時においては、内側シース７４の先端を外側シース１５０の先端よりも前方に突出させ、内側シース７４の先端から基端側への所定長さ分の範囲を測定可能な測定領域（スキャン領域）１６０として外側シース１５０の先端よりも前方に露出させた状態にする。また、バルーン制御装置００により第１バルーン８６及び第２バルーン１５４を拡大させ、胆管の内壁面に第１バルーン８６及び第２バルーン１５４の外周面を押圧させて係止させた状態にする。これにより、内側シース７４の先端部分と外側シース１５０の先端部分を胆管内の中央付近（胆管の中心軸付近）に固定することができ、測定領域１６０の範囲を全体に渡って胆管内の中央付近に固定することができる。
【００７３】
ここで、プローブ挿入部７０を図４、図６のようにプローブ挿入時の状態から図５、図７のように測定時の状態に移行する際の操作方法について説明する。第１の方法として、図４のようにプローブ挿入部７０をプローブ挿入時の状態で胆管内の所望の測定部位まで挿入する際に、測定部位とする領域の奥側端部まで内側シース７４の先端を挿入する。この後、バルーン制御装置２００により第１バルーン８６を一旦収縮させ、内側シース７４に対して外側シース１５０を長手軸方向に進退移動可能な状態にする。次に、内側シース７４に対して外側シース１５０を基端側に移動させ、内側シース７４の先端から基端側への所定長さ分の範囲、即ち、測定領域（スキャン領域）１６０の範囲を外側シース１５０の先端側に露出させる。そして、バルーン制御装置２００により第１バルーン８６及び第２バルーン１５４を拡大させ、胆管の内壁面に第１バルーン８６及び第２バルーン１５４の外周面を押圧させる。これによって、図５、図７のようにプローブ挿入部７０を測定時の状態に移行させることができる。
【００７４】
第２の方法として、図４のようにプローブ挿入部７０をプローブ挿入時の状態で胆管内の所望の測定部位まで挿入する際に、測定部位とする領域の手前側端部まで外側シース１５０の先端を挿入する。この後、バルーン制御装置２００により第２バルーン１５４を拡大させ、胆管の内壁面に第２バルーン１５４の外周面を押圧させた状態にする。これにより、外側シース１５０の先端部分を胆管内に固定する。次に、バルーン制御装置２００により第１バルーン８６を一旦収縮させ、外側シース１５０に対して内側シース７４を長手軸方向に進退移動可能な状態にする。続いて、外側シース１５０に対して内側シース７４を先端側に移動させ、内側シース７４の先端から基端側への所定長さ分の範囲、即ち、測定領域（スキャン領域）１６０の範囲を外側シース１５０の先端側に露出させる。そして、バルーン制御装置２００により第１バルーン８６を拡大させ、胆管の内壁面に第１バルーン８６外周面を押圧させる。これによって、図５、図７のようにプローブ挿入部７０を測定時の状態に移行させることができる。
【００７５】
なお、第１の方法、第２の方法のいずれにおいても第１バルーン８６及び第２バルーン１５４を拡大させて胆管の内壁面に押圧させた後、内側シース７４を前方側に移動させることによって、又は、外側シース１５０を基端側に移動させることによって、胆管の内壁面の皺などを伸ばすことができる。
【００７６】
以上のようにしてプローブ挿入部７０を測定時の状態にした後、内側シース７４内の光学レンズ８２をプローブ駆動部７２により駆動し、測定領域１６０の範囲でラジアル走査やリニア走査、又は、これらの両方の走査を並行して行うことによって測定を行い、管腔の内壁部の断層情報を取得する。このとき、光学レンズ８２を測定領域１６０の範囲内で回転させてラジアル走査を行うことにより、胆管の中心軸周りの全周（３６０度範囲）に渡って、深さ方向（径方向）に略均等な長さ分の胆管の側壁部の断層情報を一度に取得することができる。また、測定領域１６０の範囲内において、光学レンズ８２を進退移動させてラジアル走査とリニア走査とを並行して行うことによって胆管の中心軸を軸とした略円柱領域の断層情報を３次元ボリュームデータとして取得することもできる。
【００７７】
なお、上記説明ではプローブ挿入部７０を胆管に挿入して測定を行う場合について説明したが、胆道や膵管などの任意の部位の管腔に対しても上記説明と同様にしてプローブ挿入部７０を挿入して測定を行うことができる。
【００７８】
次に、上記プローブ挿入部７０に適用可能な付加的な構成について説明する。
【００７９】
図６、図７に示すように、内側シース７４の側壁部の外周面に、プローブ挿入時（図６）における外側シース１５０の基端の位置を示すマーク１７０と、測定時（図７）における外側シース１５０の基端の位置を示すマーク１７２を印しておくようにすると、プローブ挿入部７０を体腔内に挿入している場合でも基端側のマーク１７０を参照して図６のようなプローブ挿入時の状態に容易に設定することができる。また、マーク１７２を参照することにより、測定領域１６０を予め決められた長さに設定することができる。マーク１７２は複数の位置に設けておき、測定領域１６０の長さを予め決められた複数の異なる長さの中から所望の長さを選択できるようにしてもよい。
【００８０】
また、図では省略するが、内側シース７４の外周面等において、測定領域１６０の長手軸方向の両端となる位置にＸ線の透過率が低いＸ線マーカを設けておき、Ｘ線撮影を行うことにより、Ｘ線画像に造影されるＸ線マーカの位置から測定領域１６０を判断できるようにして良い。また、測定領域１６０の長手軸方向の長さを任意に設定できるようにする場合に、内側シース７４の先端側（測定領域１６０の先端側）となる位置と、外側シース１５０の先端にＸ線マーカを設けるようにしてもよい。
【００８１】
また、図８（Ａ）〜（Ｃ）のプローブ挿入部７０の測定時の状態を示した斜視図に示すように外側シース１５０の側壁部に吸引用のルーメン１８０や造影剤注入用のルーメン１８２を長手軸方向に沿って形成すると共に、外側シース１５０の側壁部の先端面等（少なくとも第２バルーン１５４よりも先端側）にそれらのルーメン１８０、１８２の先端側の開口を設け、ルーメン１８０、１８２の基端側の開口に吸引具や造影剤注入具を接続できるようにしてもよい。ルーメン１８０、１８２は１つのルーメンを吸引用のルーメンと造影剤注入用のルーメンとして適宜使い分けるようにしたものであってもよい。これによれば、図５、図７と同様に図８（Ａ）のようにプローブ挿入部７０を挿入時の状態にした後、吸引用のルーメン１８０を介して吸引具により第１バルーン８６と第２バルーン１５４の間の空間部の気体（又は液体）を吸引することができ、それによって、図８（Ｂ）のように測定領域１６０における生体（測定対象Ｓ）の壁面を内側シース７４の外周面に吸着固定させて測定を行うことができる。
【００８２】
また、図８（Ａ）のようにプローブ挿入部７０を挿入時の状態にした後、造影剤注入用のルーメン１８２を介して造影剤注入具により第１バルーン８６と第２バルーン１５４の間の空間部に図３のように造影剤Ｐを注入し、Ｘ線撮影を行うことによって、測定領域１６０の範囲の胆膵管等の管腔を造影して可視化することができ、例えば管腔に狭窄部位１９０が生じていれば容易にそれを検知することができる。
【００８３】
なお、上記用途のルーメン以外に例えば液体や気体を供給するための送液用や送気用、又は、その他の用途のルーメンを上記ルーメン１８０、１８２と同様に外側シース１５０の側壁部に設けても良い。また、上記の吸引用、造影剤注入用、送液用、送気用等のルーメンは、外側シース１５０ではなく内側シース７４に形成することも可能であり、その場合に、ルーメンの先端側の開口を第１バルーン８６よりも基端側に設けて、第１バルーン８６と第２バルーン１５４との間の空間部に連通させるようにすることができる。
【００８４】
次に、上記プローブ挿入部７０の第１バルーン８６及び第２バルーン１５４の詳細な形態について説明する。
【００８５】
図９は、上記プローブ挿入部７０を長手軸に直交する方向に切断した正面断面図であり、図５、図７のように内側シース７４の先端を外側シース１５０の先端よりも前方に突出させて第１バルーン８６及び第２バルーン１５４を拡大させた測定時の状態に対して、同図（Ａ）は第１バルーン８６の位置での正面断面図を示し、同図（Ｂ）は第２バルーン１５４の位置での正面断面図を示している。なお、第１シース７４内の内容物は省略されている。
【００８６】
上述のように、内側シース７４（先端のキャップ７６）と外側シース１５０の各々に取り付けられる第１バルーン８６と第２バルーン１５４はいずれも円環状に拡大し、プローブ挿入部７０を挿入した管腔の内壁面に当接する外周面（外周側の環状面）２５０、２５２が略円形となる断面形状を有している。そして、それらの中心軸２５４、２５６の位置は、各々、図９（Ａ）、（Ｂ）に示すように内側シース７４の中心軸（長手軸）の位置と外側シース１５０の中心軸（長手軸）の位置と略一致している。なお、内側シース７４の中心軸と外側シース１５０の中心軸とは略同軸上に配置されるため、いずれの中心軸もプローブ挿入部７４の中心軸（長手軸）２６０として表すものとする。
【００８７】
即ち、第１バルーン８６を拡大させた際に、第１バルーン８６の外周面２５０は、プローブ挿入部７４（内側シース７４）の中心軸２６０を中心にして全周方向に等方的に拡大し、図９（Ａ）の断面上において、中心軸２６０を中心とした所定半径ｒの円を形成する。第２バルーン１５４についても同様に、第２バルーン１５４を拡大させた際に、第２バルーン１５４の外周面２５２は、プローブ挿入部７４（外側シース１５０）の中心軸２６０を中心にして全周方向に等方的に拡大し、図９（Ｂ）の断面上において、中心軸２６０を中心とした所定半径ｒの円を形成する。
【００８８】
また、第１バルーン８６と第２バルーン１５４を最大に拡大させた場合に、それらの外周面２５０、２５２は略円柱面状の形状を形成し、それらの円柱面状の外周面２５０、２５２の半径ｒが第１バルーン８６と第２バルーン１５４とで略一致している。即ち、第１バルーン８６と第２バルーン１５４の外周面２５０、２５２の半径が一致する大きさとなるように第１バルーン８６と第２バルーン１５４を拡大させることができるようになっている。
【００８９】
この図９の形態のプローブ挿入部７０によれば、図５、図７に示した測定時の状態において、第１バルーン８６の中心軸２５４と第２バルーン１５４の中心軸２５６とが同軸上（プローブ挿入部７４の中心軸２６０上）に配置されることになり、管腔の内壁面において、第１バルーン８６と第２バルーン１５４の各々により押圧される部位の間の範囲、即ち、プローブ挿入部７０の測定領域（スキャン領域）１６０（図５、図７参照）に対向する範囲が略円柱面状（管腔自体は円柱状）に矯正される。
【００９０】
また、第１バルーン８６に対する内側シース７４の中心軸２５４の径方向に関する位置と、第２バルーン１５４に対する外側シース１５０の中心軸２５６の径方向に関する位置とが略一致しているため、即ち、拡大した第１バルーン８６と第２バルーン１５４により管腔内に固定された内側シース７４と外側シース１５０の各々の中心軸がプローブ挿入部７０の中心軸２６０として同軸上に配置されるため、また、そのプローブ挿入部７０の中心軸２６０が第１バルーン８６と第２プローブ挿入部７０の中心軸２５４、２５６の位置に配置されるため、プローブ挿入部７０の測定領域１６０の範囲が、円柱状に矯正された管腔の中央付近に固定されると共に、管腔の中心軸と略平行（内壁面と略平行）に固定される。従って、プローブ挿入部７０の測定領域１６０に対向する範囲（中心軸２６０周りの全周方向の範囲）の測定データを良好に取得することができる。
【００９１】
図９の形態に対して、図１０は、第１バルーン８６及び第２バルーン１５４に対するプローブ挿入部７０の中心軸２６０の径方向に関する位置を中心からずらして第１バルーン８６及び第２バルーン１５４の中心軸２５４、２５６から偏芯させた位置でプローブ挿入部７０を管腔内に固定する形態を示し、図１０（Ａ）、（Ｂ）は、各々、図９（Ａ）、（Ｂ）に対応した正面断面図であり、図９と同一又は類似の構成部には図９と同一符号を付している。
【００９２】
図１０（Ａ）、（Ｂ）に示すように第１バルーン８６と第２バルーン１５４はいずれも図９の形態と同様にプローブ挿入部７０を挿入した管腔の内壁に当接する外周面２５０、２５２が略円形となる断面形状を有している。そして、それらの中心軸２５４、２５６の位置が、各々、プローブ挿入部７０の中心軸２６０（内側シース７４及び外側シース１５０の中心軸）の位置と異なっている。即ち、第１バルーン８６を拡大させた際に、第１バルーン８６の外周面２５０は、図１０（Ａ）の断面上において、プローブ挿入部７０（内側シース７４）の中心軸２６０から偏倚した位置を中心とした所定半径ｒの円を形成する。第２バルーン１５４についても同様に、第２バルーン１５４を拡大させた際に、図１０（Ｂ）の断面上において、プローブ挿入部７０（外側シース１５０）の中心軸２６０から偏倚した位置を中心とした所定半径ｒの円を形成する。
【００９３】
また、第１バルーン８６と第２バルーン１５４を最大に拡大させた場合に、それらの外周面２５０、２５２は略円柱面状の形状を形成し、それらの円柱面状の外周面２５０、２５２の半径ｒが第１バルーン８６と第２バルーン１５４とで略一致し、且つ、第１バルーン８６に対するプローブ挿入部７０（内側シース７４）の中心軸２６０の径方向に関する位置と、第２バルーン１５４に対するプローブ挿入部７０（外側シース１５０）の中心軸２６０の径方向に関する位置とが略一致している。
【００９４】
この図１０の形態のプローブ挿入部７０によれば、図５、図７に示した測定時の状態において、図９の形態と同様に第１バルーン８６の中心軸２５４と第２バルーン１５４の中心軸２５６とが同軸上に配置されることになり、図９の形態と同様に管腔の内壁面において、プローブ挿入部７０の測定領域（スキャン領域）１６０に対向する範囲が略円柱面状（管腔自体は円柱状）に矯正される。
【００９５】
また、第１バルーン８６に対するプローブ挿入部７０（内側シース７４）の中心軸２６０の径方向に関する位置と、第２バルーン１５４に対するプローブ挿入部７０（外側シース１５０）の中心軸２６０の径方向の位置とが略一致しているため、即ち、拡大した第１バルーン８６と第２バルーン１５４により管腔内に固定された内側シース７４と外側シース１５０の各々の中心軸が第１バルーン８６と第２バルーン１５４の中心軸２５４、２５６とは異なる位置において同軸上に配置されるため、プローブ挿入部７０の少なくとも測定領域１６０の範囲が、円柱状に矯正された管腔の中央から偏倚した位置において管腔の中心軸と略平行（内壁面と略平行）に固定される。従って、管腔の中心軸周りの全周方向を測定対象範囲とするのではなく、所定角度方向及びその近傍角度の限られた範囲を測定対象範囲とする場合には、第１バルーン８６及び第２バルーン１５４の中心軸２５４、２５６に対してプローブ挿入部７０の中心軸２６０をその測定対象範囲の角度方向に偏倚させた状態（プローブ挿入部７０を測定対象範囲に近づけた状態）で固定すれば、測定対象範囲に関する良好な測定データが得られる。
【００９６】
なお、図１０の形態の場合に、第１バルーン８６及び第２バルーン１５４の中心軸２５４、２５６に対してプローブ挿入部７０の中心軸２６０を偏倚させた方向とは反対方向、即ち、プローブ挿入部７０の中心軸２６０から第１バルーン８６及び第２バルーン１５４の外周面２５０、２５２までの距離が最も大きくなる方向に関する測定は重要度が低いと考えられるため、その方向又はその近傍となる方向の内側シース７４の側壁部に第１バルーン８６内の流体を供給又は排出する給排用ルーメン８８（図１０（Ｂ）参照）やその他のルーメン（内側シース７４に設けるようにした場合の図８で示した吸引用、造影剤注入用、送液用、送気用等のルーメン）を設けるようにすると好適である。また、上記形態では、内側シース７４に対する外側シース１５０の中心軸周りの回転を規制する手段は特に設けられておらず、自由に回転させることが可能となっているが、第１バルーン８６に対する内側シース７４の中心軸の径方向に関する位置と、第２バルーン１５４に対する外側シース１５０の中心軸の径方向の位置とを略一致させた状態とするために（第１バルーン８６の中心軸２５４と第２バルーン１５４の中心軸２５６を同軸上の位置とするために、例えば、内側シース７４と外側シース１５０の基端側に位置合わせ用のマークを設けても良いし、内側シース７４に対して外側シース１５０の中心軸周りの回転位置を規制する規制手段を設けてもよい。
【符号の説明】
【００９７】
１０…ＯＣＴプローブ装置、１２…ＯＣＴプロセッサ、１４…モニタ装置、２０…光源ユニット、５０…干渉光検出部、５４…処理部、５６…制御操作部、６０…光ロータリージョイント、６２…光出射部、７０…プローブ挿入部、７２…プローブ駆動部、７４…第１プローブ外筒（内側シース）、７８…バネ（フレキシブルシャフト）、８２…光学レンズ、８４、１５２…主ルーメン、８６…第１バルーン、１５０…第２プローブ外筒（外側シース）、１５４…第２バルーン、１６０…測定領域、１８０、１８２…ルーメン、ＦＢ１…回転側光ファイバ、ＦＢ２…固定側光ファイバ
【図１】
0005939746.tif 000002
【図２】
0005939746.tif 000003
【図３】
0005939746.tif 000004
【図４】
0005939746.tif 000005
【図５】
0005939746.tif 000006
【図６】
0005939746.tif 000007
【図７】
0005939746.tif 000008
【図８】
0005939746.tif 000009
【図９】
0005939746.tif 000010
【図１０】
0005939746.tif 000011